(57)【要約】【課題】洗面所やトイレ等にて使用される手乾燥装置において、手に付着した水滴を効率よく吸引することにより水滴の飛散を防止することができる手乾燥装置を提供することを目的とする。【解決手段】本体内部に設けた吸引手段２と、前記吸引手段２に接続した風路３と、前記風路３に接続した吸引ノズル４と、前記吸引ノズル４が固定されたスライド部５と、前記スライド部５をスライド動作させるスライド手段６で構成され、前記吸引ノズル４の上に濡れた手を置いた時に、前記吸引手段２を動作させるとともに、前記スライド手段６を動作させることにより、前記吸引ノズル４もスライド移動し、手全体に前記吸引ノズル４が接近して手に付着した水滴を吸引することにより、効率的に手の表面に付着した水滴を吸引して水滴の飛散を抑制することができる手乾燥装置１が得られる。【選択図】図１
2010179010.tif 000002
【特許請求の範囲】
【請求項１】
本体内部に設けた吸引手段と、前記吸引手段に接続し、フレキシブルに変形可能な風路と、前記風路に接続して表面に置いた手から水分を吸引する吸引ノズルと、前記吸引ノズルを固定するスライド部と、前記スライド部をスライド動作させるスライド手段から構成されたことを特徴とした手乾燥装置。
【請求項２】
吸引ノズルに弾性材を使用したことを特徴とした請求項１に記載の手乾燥装置。
【請求項３】
吸引ノズルの表面に、撥水処理を施した請求項１から２のいずれかに記載の手乾燥装置。
【請求項４】
吸引ノズルの表面に、親水処理を施した請求項１から２のいずれかに記載の手乾燥装置。
【請求項５】
吸引ノズルの表面に、抗菌処理を施した請求項１から２のいずれかに記載の手乾燥装置。
【請求項６】
吸引ノズルの近傍にオゾン発生装置を設けたことを特徴とした請求項１から５のいずれかに記載の手乾燥装置。
【請求項７】
吸引ノズルの近傍にマイナスイオン発生装置を設けたことを特徴とした請求項１から５のいずれかに記載の手乾燥装置。
【請求項８】
風路内部にオゾン発生装置を設けたことを特徴とした請求項１から７のいずれかに記載の手乾燥装置。
【請求項９】
風路内部にマイナスイオン発生装置を設けたことを特徴とした請求項１から７のいずれかに記載の手乾燥装置。
【請求項１０】
風路内部に殺菌灯を設けたことを特徴とした請求項１から７のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、手の表面に付着した水滴を吸引し、乾燥させるものが知られていた（例えば特許文献１参照）。
【０００３】
以下、その手乾燥装置について図７を参照しながら説明する。
【０００４】
図に示すように、手乾燥装置１０１は本体内部に設けた吸引手段１０２と、前記吸引手段１０２に接続した風路１０３と、前記風路１０３に接続した吸引ノズル１０４を有し、前記吸引手段１０２を動作させることにより、前記吸引ノズル１０４より手の表面に付着した水滴を吸引し、手を乾燥させるものである。
【特許文献１】特開２００７−１０５１５５号公報（段落番号００５９、図１）
【発明の開示】
【発明が解決しようとする課題】
【０００５】
このような従来の手乾燥装置の方法では、吸引ノズルの上に人が手を置いた場合に、前記吸引ノズルに近接している手の部分の表面に付着した水滴は吸引できるが、前記吸引ノズルから離れている手の部分の表面に付着した水滴の吸引ができないため、手を吸引ノズルの上で移動させる必要があり、効率的に手の表面に付着した水滴の吸引ができないという課題があった。
【０００６】
本発明は、上記従来の課題を解決するもので、吸引ノズルの上に人が手を置いた場合に、前記吸引ノズルはスライド移動し、手全体に吸引ノズルが接近し、手に付着した水滴を吸引することにより、効率的に手の表面に付着した水滴を吸引できる手乾燥装置を提供することを目的としている。
【課題を解決するための手段】
【０００７】
本発明の手乾燥装置は、上記目的を達成するために、本体内部に設けた吸引手段と、フレキシブルに変形可能な風路と、前記風路に接続して表面に置いた手から水分を吸引する吸引ノズルと、前記吸引ノズルが固定されたスライド部と、前記スライド部をスライド動作させるスライド手段から構成されたものである。
【０００８】
この手段により、吸引ノズルの上に濡れた手を置いた時に、吸引手段を動作させるとともに、スライド手段を動作させることにより、スライド部がスライド動作し、前記スライド部に固定された前記吸引ノズルもスライド移動し、手全体に前記吸引ノズルが接近し、手に付着した水滴を吸引することにより、効率的に手の表面に付着した水滴を吸引し、水滴の飛散を抑制することができる手乾燥装置が得られる。
【０００９】
また、吸引ノズルに弾性材を使用したものである。
【００１０】
この手段により、吸引ノズルに手が密着しやすくなり、効率的に手の表面に付着した水滴を吸引することができる手乾燥装置が得られる。
【００１１】
また、吸引ノズルの表面に、撥水処理を施したものである。
【００１２】
この手段により、吸引ノズルに水分が付着しにくくなり、人の手が触れる前記吸引ノズルの表面を、清潔に保つことができる手乾燥装置が得られる。
【００１３】
また、吸引ノズルの表面に、親水処理を施したものである。
【００１４】
この手段により、手に付着した水分を吸着し易くなり、効率的に乾燥させることができる手乾燥装置が得られる。
【００１５】
また、吸引ノズルの表面に、抗菌処理を施したものである。
【００１６】
この手段により、吸引ノズルの表面に細菌が繁殖し難くなり、人の手が触れる前記吸引ノズルの表面を清潔に保つことができる手乾燥装置が得られる。
【００１７】
また、吸引ノズル近傍にオゾン発生装置を設けたものである。
【００１８】
この手段により、オゾンを発生させ、細菌が繁殖し難くなり、吸引ノズルを清潔に保つことができる手乾燥装置が得られる。
【００１９】
また、吸引ノズル近傍にマイナスイオン発生装置を設けたものである。
【００２０】
この手段により、マイナスイオンを発生させ、細菌が繁殖し難くなり、吸引ノズルを清潔に保つことができる手乾燥装置が得られる。
【００２１】
また、風路内部にオゾン発生装置を設けたものである。
【００２２】
この手段により、オゾンを発生させることにより細菌が繁殖し難くなり、風路内部を清潔に保つことができる手乾燥装置が得られる。
【００２３】
また、風路内部にマイナスイオン発生装置を設けたものである。
【００２４】
この手段により、マイナスイオンを発生させることにより細菌が繁殖し難くなり、風路内部を清潔に保つことができる手乾燥装置が得られる。
【００２５】
また、風路内部に殺菌灯を設けたものである。
【００２６】
この手段により、紫外線を照射することにより細菌が繁殖し難くなり、風路内部を清潔に保つことができる手乾燥装置が得られる。
【発明の効果】
【００２７】
本発明によれば、本体内部に設けた吸引手段と、前記吸引手段に接続したフレキシブルに変形可能な風路と、前記風路に接続して表面に置いた手から水分を吸引する吸引ノズルと、前記吸引ノズルが固定されたスライド部と、前記スライド部をスライド動作させるスライド手段から構成され、前記吸引ノズルの上に人が手を置いた場合に、前記吸引手段を動作させるとともに、前記スライド手段を動作させることにより、前記スライド部がスライド動作し、前記スライド部に固定された前記吸引ノズルはスライド移動し、手全体に前記吸引ノズルが接近し、手に付着した水滴を吸引することにより、効率的に手の表面に付着した水滴を吸引でき、水滴の飛散を抑制することができる手乾燥装置を提供できる。
【発明を実施するための最良の形態】
【００２８】
本発明の請求項１記載の発明は、本体内部に設けた吸引手段と、前記吸引手段に接続したフレキシブルに変形可能な風路と、前記風路に接続して表面に置いた手から水分を吸引する吸引ノズルと、前記吸引ノズルが固定されたスライド部と、前記スライド部をスライド動作させるスライド手段で構成され、前記吸引ノズルの上に人が手を置いた場合に、前記吸引手段を動作させるとともに、前記スライド手段を動作させることにより、前記スライド部がスライド動作し、前記スライド部に固定された前記吸引ノズルはスライド移動し、手全体に吸引ノズルが接近し、水滴の飛散を抑制しながら、手に付着した水滴を吸引するという作用を有する。
【００２９】
また、吸引ノズルに弾性材を使用したものであり、前記吸引ノズルに手が密着させて、手の表面に付着した水滴を吸引するという作用を有する。
【００３０】
また、吸引ノズルの表面に、撥水処理を施したものであり、前記吸引ノズルに水分が付着しにくくなり、人の手が触れる前記吸引ノズルの表面を、清潔に保つことができる作用を有する。
【００３１】
また、吸引ノズルの表面に、親水処理を施したものであり、手に付着した水分を吸着して、乾燥させるという作用を有する。
【００３２】
また、吸引ノズルの表面に、抗菌処理を施したものであり、前記吸引ノズルの表面に細菌が繁殖し難くなり、人の手が触れる前記吸引ノズルを清潔に保つことができる作用を有する。
【００３３】
また、吸引ノズル近傍にオゾン発生装置を設けたものであり、オゾンを発生させ、細菌のが繁殖を抑制して、前記吸引ノズルを清潔に保つことができる作用を有する。
【００３４】
また、吸引ノズル近傍にマイナスイオン発生装置を設けたものであり、マイナスイオンを発生させ、細菌が繁殖を抑制して、前記吸引ノズルを清潔に保つことができる作用を有する。
【００３５】
また、風路内部にオゾン発生装置を設けたものであり、オゾンを発生させることにより細菌の繁殖を抑制して、前記風路内部を清潔に保つことができる作用を有する。
【００３６】
また、風路内部にマイナスイオン発生装置を設けたものであり、マイナスイオンを発生させることにより細菌の繁殖を抑制して、前記風路内部を清潔に保つことができる作用を有する。
【００３７】
また、風路内部に殺菌灯を設けたものであり、紫外線を照射することにより細菌の繁殖を抑制して、前記風路内部を清潔に保つことができる作用を有する。
【００３８】
（実施の形態１）
図１に示すように、手乾燥装置１は内部に吸引手段２、たとえば吸引ポンプと、前記吸引手段２に接続したフレキシブルに変形可能な風路３、たとえばフレキシブルホースを使用したものと、前記風路に接続して表面に置いた手から水分を吸引する吸引ノズル４と、前記吸引ノズル４が固定されたスライド部５と、前記スライド部５をスライド動作させるスライド手段６、たとえばモータと歯車を組み合わせたもので構成されたものである。
【００３９】
上記構成において、前記吸引ノズル４の上に濡れた手を置いた時に、前記吸引手段２を動作させるとともに、前記スライド手段６を動作させることにより、前記スライド部５がスライド動作し、前記スライド部５に固定された前記吸引ノズル４もスライド移動し、手全体に前記吸引ノズル４が接近し、手に付着した水滴を吸引することにより、効率的に手の表面に付着した水滴を吸引し、水滴の飛散を抑制することができる。
【００４０】
なお、本実施の形態１では、吸引ノズルが１個の手乾燥装置としているが、吸引ノズルを複数設け、手の両面より吸引する手乾燥装置においても同様の作用効果をもたらすことは言うまでもない。
【００４１】
（実施の形態２）
次に、本発明の実施の形態２について図面を参照しながら説明する。なお，実施の形態１と同一のものは同一番号を付し、その詳細な説明を省略する。
【００４２】
図１に示すように、手乾燥装置１は内部に吸引手段２と、前記吸引手段２に接続した風路３と、前記風路３に接続した弾性材、たとえばゴムを使用した吸引ノズル４より構成される。
【００４３】
上記構成において、吸引手段２を動作させ、吸引ノズル４より手の表面に付着した水滴を吸引することにより、手に付着した水滴が衣服や床へ飛散することを抑制できるとともに、前記吸引ノズル４に手が密着しやすくなり、効率的に手の表面に付着した水滴を吸引することができる。
【００４４】
（実施の形態３）
次に、本発明の実施の形態３について図面を参照しながら説明する。なお，実施の形態１、２と同一のものは同一番号を付し、その詳細な説明を省略する。
【００４５】
図１に示すように、手乾燥装置１は内部に吸引手段２と、前記吸引手段２に接続した風路３と、前記風路３に接続した表面を撥水処理、たとえばフッ素コーティングされた吸引ノズル４より構成される。
【００４６】
上記構成において、前記吸引手段２を動作させ、前記吸引ノズル４より手の表面に付着した水滴を吸引することにより、手に付着した水滴が衣服や床へ飛散することを抑制できるとともに、撥水処理により前記吸引ノズル４に水分が付着しにくくなり、人の手が触れる前記吸引ノズル４の表面を清潔に保つことできる。
【００４７】
（実施の形態４）
次に、本発明の実施の形態４について図面を参照しながら説明する。なお、実施の形態１、２、３と同一のものは同一番号を付し、その詳細な説明を省略する。
【００４８】
図１に示すように、手乾燥装置１は内部に吸引手段２と、前記吸引手段２に接続した風路３と、前記風路３に接続した表面を親水処理、たとえば光触媒処理された吸引ノズル４により構成される。
【００４９】
上記構成において、前記吸引手段２を動作させ、前記吸引ノズル４より手の表面に付着した水滴を吸引することにより、手に付着した水滴が衣服や床へ飛散することを抑制できるとともに、前記吸引ノズル４の表面に、親水処理を施したものであり、手に付着した水分を吸着し易くなり、効率的に乾燥させることができる。
【００５０】
（実施の形態５）
次に、本発明の実施の形態５について図面を参照しながら説明する。なお、実施の形態１、２、３、４と同一のものは同一番号を付し、その詳細な説明を省略する。
【００５１】
図１に示すように、手乾燥装置１は内部に吸引手段２と、前記吸引手段２に接続した風路３と、前記風路３に接続した表面を抗菌処理、たとえば銀イオン処理された吸引ノズル４により構成される。
【００５２】
上記構成において、前記吸引手段２を動作させ、前記吸引ノズル４より手の表面に付着した水滴を吸引することにより、手に付着した水滴が衣服や床へ飛散することを抑制できるとともに、前記吸引ノズル４の表面に、抗菌処理を施したものであり、前記吸引ノズル４の表面に細菌が繁殖し難くなり、人の手が触れる前記吸引ノズル４の表面を清潔に保つことができる。
【００５３】
（実施の形態６）
次に、本発明の実施の形態６について図面を参照しながら説明する。なお、実施の形態１、２、３、４、５と同一のものは同一番号を付し、その詳細な説明を省略する。
【００５４】
図２に示すように、手乾燥装置１は内部に吸引手段２と、前記吸引手段２に接続したフレキシブルに変形可能な風路３と、前記風路３に接続した吸引ノズル４と、前記吸引ノズル４が固定されたスライド部５と、前記スライド部５をスライド動作させるスライド手段６と、前記吸引ノズル４の近傍に設置されたオゾン発生装置７により構成される。
【００５５】
上記構成において、前記オゾン発生装置７を動作させることにより発生したオゾンが、前記吸引ノズル４での雑菌の繁殖を抑制し、前記吸引ノズル４を清潔に保つことができる。
【００５６】
（実施の形態７）
次に、発明の実施の形態７について図面を参照しながら説明する。なお、施の形態１、２、３、４、５、６と同一のものは同一番号を付し、その詳細な説明を省略する。
【００５７】
図３に示すように、手乾燥装置１は内部に吸引手段２と、前記吸引手段２に接続したフレキシブルに変形可能な風路３と、前記風路３に接続した吸引ノズル４と、前記吸引ノズル４が固定されたスライド部５と、前記スライド部５をスライド動作させるスライド手段６と、前記吸引ノズル４の近傍に設置されたマイナスイオン発生装置８により構成される。
【００５８】
上記構成において、前記マイナスイオン発生装置８を動作させることにより発生したマイナスイオンが、前記吸引ノズル４での雑菌の繁殖を抑制し、前記吸引ノズル４を清潔に保つことができる。
【００５９】
（実施の形態８）
次に、本発明の実施の形態８について図面を参照しながら説明する。なお、実施の形態１、２、３、４、５、６、７と同一のものは同一番号を付し、その詳細な説明を省略する。
【００６０】
図４に示すように、手乾燥装置１は内部に吸引手段２と、前記吸引手段２に接続したフレキシブルに変形可能な風路３と、前記風路３に接続した吸引ノズル４と、前記吸引ノズル４が固定されたスライド部５と、前記スライド部５をスライド動作させるスライド手段６と、前記風路３の内部に設置されたオゾン発生装置７により構成される。
【００６１】
上記構成において、前記オゾン発生装置７を動作させることにより発生したオゾンが、前記風路３内部での雑菌の繁殖を抑制し、前記風路３内部を清潔に保つことができる。
【００６２】
（実施の形態９）
次に、本発明の実施の形態９について図面を参照しながら説明する。なお、実施の形態１、２、３、４、５、６、７、８と同一のものは同一番号を付し、その詳細な説明を省略する。
【００６３】
図５に示すように、手乾燥装置１は内部に吸引手段２と、前記吸引手段２に接続したフレキシブルに変形可能な風路３と、前記風路３に接続した吸引ノズル４と、前記吸引ノズル４が固定されたスライド部５と、前記スライド部５をスライド動作させるスライド手段６と、前記風路３の内部に設置されたマイナスイオン発生装置８により構成される。
【００６４】
上記構成において、前記マイナスイオン発生装置８を動作させることにより発生したマイナスイオンが、前記風路３内部での雑菌の繁殖を抑制し、前記風路３内部を清潔に保つことができる。
【００６５】
（実施の形態１０）
次に、本発明の実施の形態１０について図面を参照しながら説明する。なお、実施の形態１、２、３、４、５、６、７、８、９と同一のものは同一番号を付し、その詳細な説明を省略する。
【００６６】
図６に示すように、手乾燥装置１は内部に吸引手段２と、前記吸引手段２に接続したフレキシブルに変形可能な風路３と、前記風路３に接続した吸引ノズル４と、前記吸引ノズル４が固定されたスライド部５と、前記スライド部５をスライド動作させるスライド手段６と、前記風路３の内部に設置された殺菌灯９により構成される。
【００６７】
上記構成において、前記殺菌灯９を点灯させることにより発生した紫外線が、前記風路３内部での雑菌の繁殖を抑制し、前記風路３内部を清潔に保つことができる。
【産業上の利用可能性】
【００６８】
水滴の飛散を防止した効率的な乾燥ができることにより、水洗いした後の乾燥手法において、水滴の飛散を防止した効率的な乾燥を行うことができる。
【図面の簡単な説明】
【００６９】
【図１】本発明の実施の形態１、２、３、４、５の手乾燥装置の構成を示す概略図
【図２】本発明の実施の形態６の手乾燥装置の構成を示す概略図
【図３】本発明の実施の形態７の手乾燥装置の構成を示す概略図
【図４】本発明の実施の形態８の手乾燥装置の構成を示す概略図
【図５】本発明の実施の形態９の手乾燥装置の構成を示す概略図
【図６】本発明の実施の形態１０の手乾燥装置の構成を示す概略図
【図７】従来の手乾燥装置の構成を示す概略図
【符号の説明】
【００７０】
１      手乾燥装置
２      吸引手段
３      風路
４      吸引ノズル
５      スライド部
６      スライド手段
７      オゾン発生装置
８      マイナスイオン発生装置
９      殺菌灯
１０１  手乾燥装置
１０２  吸引手段
１０３  風路
１０４  吸引ノズル
【図１】
2010179010.tif 000003
【図２】
2010179010.tif 000004
【図３】
2010179010.tif 000005
【図４】
2010179010.tif 000006
【図５】
2010179010.tif 000007
【図６】
2010179010.tif 000008
【図７】
2010179010.tif 000009